(57)【要約】【課題】本発明は、電圧安定化回路、マイクロプロセッサＭＣＵ、受信モジュール、ＬＥＤ定電流駆動回路、ＬＥＤ光調節色温度調節分離回路、双色温度ＬＥＤ光源、システム処理ソフトウェアを含むＬＥＤ輝度調節色温度調節を遠隔制御する電気回路及びその制御方法を開示する。【解決手段】システム処理ソフトウェアを編成し、受信モジュールを通じてコードを受信してマイクロプロセッサに送信してデコード処理を行い、マイクロプロセッサがデコードしてＬＥＤ定電流駆動回路、ＬＥＤ光調節色温度調節分離回路と結び付け、ＬＥＤのオン／オフ、輝度、色温度に対する遠隔制御を実現でき、且つ輝度調節ＰＷＭ信号がランプの出力パワーを決定し、色温度調節ＷＰＷＭ、ＹＰＷＭ信号に関係がなく、色温度調節ＹＰＷＭ、ＷＰＷＭ信号が出力色温度の変化を決定し、パワーに関係がない。本発明は、家庭、ショップ、ホテル、会社などの色温度を厳格に要求する場所に適用される。【選択図】図１
2019129061.tif 000002
【特許請求の範囲】
【請求項１】
送信機と受信機を含むＬＥＤ輝度調節色温度調節を遠隔制御する電気回路及びその制御方法であって、
送信機には、ＡＬＬ  Ｌｉｇｈｔ、ＯＮ／ＯＦＦ、ＡＬＬ  Ｗｈｉｔｅ、Ｎｉｇｈｔ  ＬＥＤ、Ｗｈｉｔｅ＋、Ｙｅｌｌｏｗ＋、ＡＬＬ  Ｙｅｌｌｏｗ、Ｄｉｍｍｅｒ＋、Ｄｉｍｍｅｒ−、Ｍｅｍｏｒｙ操作ボタン及び送信機におけるアドレス３段トグルスイッチ１、２、３のボタンが設置されており、
受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを含み、
受信機ハードウェアの接続関係は次の通りであり、
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極ＹＬＥＤ＋へ伝送され、もう１チャンネルの電流がＷＬＥＤ正極ＷＬＥＤ＋へ伝送され、双色温度ＬＥＤ光源（５）は白光６５００Ｋ色温度ＷＬＥＤと黄光２７００Ｋ色温度ＹＬＥＤの共通カソードにより構成され、ＬＥＤ定電流駆動回路（３）の出力負極はＬＥＤ共通カソードと接続されており、
送信機と受信機の制御ステップは次の通りであり、
送信機におけるアドレストグルスイッチを選択し、送信機におけるＮｉｇｈｔ  ＬＥＤボタンを１０秒長押ししてアドレスコード信号を送信し、送信機が受信機を制御する条件として、受信機と送信機が同じであるアドレスコードを設定することで、受信機に対する該送信機のペア制御を実現することであり、
光調節（輝度）方法は次の通りであり、
送信機におけるＡＬＬ  Ｌｉｇｈｔ又はＯＮ／ＯＦＦを操作して点灯し、Ｄｉｍｍｅｒ＋又はＤｉｍｍｅｒ−ボタンを操作し、受信モジュール（１）が信号を受信してマイクロプロセッサＭＣＵ（２）に送信し、マイクロプロセッサＭＣＵ（２）がデコードした後に光調節ＰＷＭ信号をＬＥＤ定電流駆動回路（３）に送信することで、ランプの電流の大きさを制御し、即ち輝度を制御し、輝度調節ＰＷＭ信号がランプの定出力パワーを決定し、色温度調節ＷＰＷＭ、ＹＰＷＭ信号に関係がなく、
色温度調節方法は次の通りであり、
送信機におけるＡＬＬ  Ｌｉｇｈｔ又はＯＮ／ＯＦＦを操作して点灯し、Ｗｈｉｔｅ＋又はＹｅｌｌｏｗ＋ボタンを操作し、受信モジュール（１）が信号を受信してマイクロプロセッサＭＣＵ（２）に送信し、マイクロプロセッサＭＣＵ（２）がデコードした後に色温度調節ＰＷＭ信号をＬＥＤ光調節色温度調節分離回路（４）に送信し、ＬＥＤ光調節色温度調節分離回路（４）はＬＥＤ定電流駆動回路（３）が出力した電流を要求に応じてＹＬＥＤとＷＬＥＤランプに振り分け、ＹＬＥＤとＷＬＥＤのライトが混合することで、ランプの出力色温度を制御し、出力パワーが変化せず、ＡＬＬ  Ｗｈｉｔｅ又はＡＬＬ  Ｙｅｌｌｏｗボタンを操作して最大パワーの単一色温度操作を実現する、ことを特徴とするＬＥＤ輝度調節色温度調節を遠隔制御する電気回路及びその制御方法。
【請求項２】
請求項１に記載のＬＥＤ輝度調節色温度調節を遠隔制御する電気回路及びその制御方法であって、
前記ＬＥＤ輝度調節色温度調節を遠隔制御する制御方法は、マイクロプロセッサＭＣＵ（２）がデコードして輝度調節ＰＷＭ信号と色温度調節ＰＷＭ信号を送信し、色温度調節ＰＷＭ信号がＷＰＷＭ、ＹＷＭ信号を含み、輝度調節ＰＷＭ信号がランプの定出力パワーを決定し、色温度調節ＷＰＷＭ、ＹＰＷＭ信号に関係がなく、色温度調節ＹＰＷＭ、ＷＰＷＭ信号が出力色温度の値を決定し、パワーの大きさに関係がなく、色温度調節ＹＰＷＭ信号と色温度調節ＷＰＷＭ信号は逆相補性信号であり、色温度調節ＹＰＷＭ信号と色温度調節ＷＰＷＭ信号が輝度調節ＰＷＭ信号と同期する、ことを特徴とする請求項１に記載のＬＥＤ輝度調節色温度調節を遠隔制御する電気回路及びその制御方法。
【請求項３】
請求項１に記載のＬＥＤ輝度調節色温度調節を遠隔制御する電気回路及びその制御方法であって、
前記ＬＥＤ輝度調節色温度調節を遠隔制御する電気回路は、受信モジュール（１）が赤外線受信モジュールとワイヤレス受信モジュールを含む、ことを特徴とする請求項１に記載のＬＥＤ輝度調節色温度調節を遠隔制御する電気回路及びその制御方法。
【請求項４】
請求項１に記載のＬＥＤ輝度調節色温度調節を遠隔制御する電気回路及びその制御方法であって、
前記ＬＥＤ輝度調節色温度調節を遠隔制御する電気回路は、マイクロプロセッサＭＣＵ（２）、ＬＥＤ定電流駆動回路（３）、ＬＥＤ光調節色温度調節分離回路（４）、双色温度ＬＥＤ光源（５）を含み、
（ａ）マイクロプロセッサＭＣＵ（２）はコンデンサＣ２とＵ３マイクロコントローラＰＩＣ１６Ｆ１８２４からなり、ＰＩＣ１６Ｆ１８２４は、２チャンネルのＰＷＭ、クロック、ＥＥＲＯＭが内蔵されたマイクロコントローラであり、ＰＩＣ１６Ｆ１８２４マイクロコントローラが制御信号を受信するとともに、１チャンネルで色温度調節ＰＷＭ信号を送信し、もう１チャンネルで輝度調節ＰＷＭ信号を送信し、
（ｂ）ＬＥＤ定電流駆動回路（３）はコンデンサＣ５、Ｃ６、抵抗Ｒｌ、Ｒ２、Ｒ３、インダクタンスＬ１、ダイオードＤｌ、ＭＯＳチューブＱ１、チップＵ４からなり、ＬＥＤ定電流駆動回路（３）はマイクロプロセッサＭＣＵ（２）が送信した輝度調節ＰＷＭ信号を受信し、ＬＥＤ定電流駆動回路（３）の出力ＶＬＥＤ＋端がＬＥＤ光調節色温度調節分離回路（４）におけるＰチャンネルＭＯＳチューブＱ４、Ｑ５ソース電極と接続され、出力ＬＥＤＷＹ−端がＷＬＥＤ、ＹＬＥＤの共通カソードと接続され、
（ｃ）ＬＥＤ光調節色温度調節分離回路（４）はコンデンサＣ７、Ｃ８、抵抗Ｒ４、Ｒ５、Ｒ６、Ｒ７、Ｒ８、Ｒ９、Ｒ１０、Ｒ１１、トランジスタＱ２、Ｑ３、インバータＵ５、ＰチャンネルＭＯＳチューブＱ４、Ｑ５からなり、ＬＥＤ光調節色温度調節分離回路（４）はマイクロプロセッサＭＣＵ（２）が送信した色温度調節ＰＷＭ信号を受信し、色温度調節ＰＷＭ信号が１チャンネルで抵抗Ｒ４により緩衝されて白光色温度調節ＷＰＷＭ信号を得て、色温度調節ＷＰＷＭ信号は、コンデンサＣ７、抵抗Ｒ５、Ｒ７、Ｒ８、トランジスタＱ２、ＰチャンネルＭＯＳチューブＱ４からなるＷＬＥＤランプ電流分配器に送信されてＷＬＥＤランプを制御し、もう１チャンネルでインバータＵ５により逆相され、抵抗Ｒ９により緩衝されて黄光色温度調節ＹＰＷＭ信号を得て、色温度調節ＹＰＷＭ信号は、コンデンサＣ８、抵抗Ｒ６、Ｒ１０、Ｒ１１、トランジスタＱ３、ＰチャンネルＭＯＳチューブＱ５からなる電流分配器に送信されてＹＬＥＤランプを制御し、
（ｄ）双色温度ＬＥＤ光源（５）は、白光６５００Ｋ色温度ＷＬＥＤと黄光２７００Ｋ色温度ＹＬＥＤからなり、ＷＬＥＤとＹＬＥＤが共通カソードを有し、カソードはＬＥＤＷＹ−と定義され、ＬＥＤ定電流駆動回路（３）におけるインダクタンスＬ１と接続され、ＷＬＥＤとＹＬＥＤのアノードはそれぞれＬＥＤ光調節色温度調節分離回路（４）におけるＰチャンネルＭＯＳチューブＱ４、Ｑ５ドレインに接続される、ことを特徴とする請求項１に記載のＬＥＤ輝度調節色温度調節を遠隔制御する電気回路及びその制御方法。
【請求項５】
請求項１に記載のＬＥＤ輝度調節色温度調節を遠隔制御する電気回路及びその制御方法であって、
前記ＬＥＤ輝度調節色温度調節を遠隔制御する電気回路及びその制御方法は、マイクロプロセッサＭＣＵ（２）にハードウェア化された制御ソフトウェアが、アドレス設定サプログラム（７）、メインプログラムモジュール（８）、輝度色温度記憶サブプログラム（９）、デコード受信サブプログラム（１０）、割込み処理サブプログラム（１１）、コード処理サブプログラム（１２）、輝度調節色温度調節ＰＷＭ処理サブプログラム（１３）を含む、ことを特徴とする請求項１に記載のＬＥＤ輝度調節色温度調節を遠隔制御する電気回路及びその制御方法。
【請求項６】
請求項５に記載のＬＥＤ輝度調節色温度調節を遠隔制御する電気回路及びその制御方法であって、
前記受信機におけるマイクロプロセッサＭＣＵ（２）にハードウェア化されたシステム操作ソフトウェアモジュールの接続関係は次のとおりであり、メインプログラムモジュール（８）がアドレス設定サブプログラム（７）、輝度色温度記憶サブプログラム（９）、割込み処理サブプログラム（１１）と互いに通じ合い、メインプログラムモジュール（８）がデコード受信サブプログラム（１０）、コード処理サブプログラム（１２）、輝度調節色温度調節ＰＷＭ処理サブプログラム（１３）と直通する、ことを特徴とする請求項５に記載のＬＥＤ輝度調節色温度調節を遠隔制御する電気回路及びその制御方法。
【請求項７】
請求項１に記載のＬＥＤ輝度調節色温度調節を遠隔制御する電気回路及びその制御方法であって、
前記受信機での、マイクロプロセッサＭＣＵ（２）にハードウェア化されたソフトウェアの操作ステップは次の通りであり、
システム初期化ステップ（ステップ１３）から、
ＥＥＲＯＭからデータを読み取り、輝度色温度値が記憶されたかどうかのステップ（ステップ１４）に移行し、
輝度色温度値が記憶された場合、ＥＥＲＯＭから読み取ったデータによって輝度、色温度ＰＷＭ信号を送信するステップ（ステップ２８）に移行し、受信サブプログラムを呼び出すステップ（ステップ１６）に移行し、
輝度色温度値が記憶されていない場合、全てのランプが点灯する（Ｗランプ５０％輝度＋Ｙランプ５０％輝度）ステップ（１５）に移行し、受信サブプログラムを呼び出すステップ（ステップ１６）に移行し、
コードがあるかどうかを判断するステップ（ステップ１７）に移行し、
コードがない場合、受信サブプログラムを呼び出すステップ（ステップ１６）に戻り、
コードがある場合、タイマーオン割込みステップ（ステップ２６）に移行し、割込み戻りステップ（ステップ２７）に移行し、
デコード受信処理サブプログラムステップ（ステップ１８）に移行し、コード処理サブプログラムステップ（ステップ１９）に移行し、
アドレスを設定できるかどうかを判断するステップ（ステップ２０）に移行し、
設定できる場合、アドレス設定サブプログラム、関連データ記憶ステップ（ステップ２１）に移行し、受信サブプログラムを呼び出すステップ（ステップ１６）に戻り、
設定できない場合、
輝度調節色温度調節コードがあるかどうかを判断するステップ（ステップ２４）に移行し、
コードがある場合、輝度調節色温度調節ＰＷＭ処理サブプログラム、関連データ記憶ステップ（ステップ２２）に移行し、受信サブプログラムを呼び出すステップ（ステップ１６）に戻り、
コードがない場合、
現在のランプの状態を記憶するコードがあるかどうかを判断するステップ（ステップ２５）に移行し、
コードがある場合、現在の輝度色温度の関連データを記憶するステップ（ステップ２３）に移行し、受信サブプログラムを呼び出すステップ（ステップ１６）に戻り、
コードがない場合、受信サブプログラムを呼び出すステップ（ステップ１６）に戻る、ことを特徴とする請求項１に記載のＬＥＤ輝度調節色温度調節を遠隔制御する電気回路及びその制御方法。
【請求項８】
送信機と受信機を含むＬＥＤ輝度調節色温度調節を遠隔制御する電気回路であって、
送信機には、ＡＬＬ  Ｌｉｇｈｔ、ＯＮ／ＯＦＦ、ＡＬＬ  Ｗｈｉｔｅ、Ｎｉｇｈｔ  ＬＥＤ、Ｗｈｉｔｅ＋、Ｙｅｌｌｏｗ＋、ＡＬＬ  Ｙｅｌｌｏｗ、Ｄｉｍｍｅｒ＋、Ｄｉｍｍｅｒ−、Ｍｅｍｏｒｙ操作ボタン及び送信機におけるアドレス３段トグルスイッチ１、２、３のボタンが設置されており、
受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを含み、
受信機ハードウェアの接続関係は次の通りであり、
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極ＹＬＥＤ＋へ伝送され、もう１チャンネルの電流がＷＬＥＤ正極ＷＬＥＤ＋へ伝送され、双色温度ＬＥＤ光源（５）は白光６５００Ｋ色温度ＷＬＥＤと黄光２７００Ｋ色温度ＹＬＥＤの共通カソードにより構成され、ＬＥＤ定電流駆動回路（３）の出力負極はＬＥＤ共通カソードと接続されている、ことを特徴とするＬＥＤ輝度調節色温度調節を遠隔制御する電気回路。
【請求項９】
送信機と受信機を含むＬＥＤ輝度調節色温度調節を遠隔制御する制御方法であって、
請求項８に記載の送信機と受信機を含むＬＥＤ輝度調節色温度調節を遠隔制御する電気回路を含み、
送信機と受信機の制御ステップは次の通りであり、
送信機におけるアドレストグルスイッチを選択し、送信機におけるＮｉｇｈｔ  ＬＥＤボタンを一定時間長押ししてアドレスコード信号を送信し、送信機が受信機を制御する条件として、受信機と送信機が同じであるアドレスコードを設定することで、受信機に対する該送信機のペア制御を実現することであり、
光調節（輝度）方法は次の通りであり、
送信機におけるＡＬＬ  Ｌｉｇｈｔ又はＯＮ／ＯＦＦを操作して点灯し、Ｄｉｍｍｅｒ＋又はＤｉｍｍｅｒ−ボタンを操作し、受信モジュール（１）が信号を受信してマイクロプロセッサＭＣＵ（２）に送信し、マイクロプロセッサＭＣＵ（２）がデコードした後に光調節ＰＷＭ信号をＬＥＤ定電流駆動回路（３）に送信することで、ランプの電流の大きさを制御し、即ち輝度を制御し、輝度調節ＰＷＭ信号がランプの定出力パワーを決定し、色温度調節ＷＰＷＭ、ＹＰＷＭ信号に関係がなく、
色温度調節方法は次の通りであり、
送信機におけるＡＬＬ  Ｌｉｇｈｔ又はＯＮ／ＯＦＦを操作して点灯し、Ｗｈｉｔｅ＋又はＹｅｌｌｏｗ＋ボタンを操作し、受信モジュール（１）が信号を受信してマイクロプロセッサＭＣＵ（２）に送信し、マイクロプロセッサＭＣＵ（２）がデコードした後に色温度調節ＰＷＭ信号をＬＥＤ光調節色温度調節分離回路（４）に送信し、ＬＥＤ光調節色温度調節分離回路（４）はＬＥＤ定電流駆動回路（３）が出力した電流を要求に応じてＹＬＥＤとＷＬＥＤランプに振り分け、ＹＬＥＤとＷＬＥＤのライトが混合することで、ランプの出力色温度を制御し、出力パワーが変化せず、ＡＬＬ  Ｗｈｉｔｅ又はＡＬＬ  Ｙｅｌｌｏｗボタンを操作して最大パワーの単一色温度操作を実現する、ことを特徴とするＬＥＤ輝度調節色温度調節を遠隔制御する制御方法。
【発明の詳細な説明】
【技術分野】
【０００１】
本発明は、照明ライト制御の方法に関し、具体的には、ＬＥＤ輝度調節色温度調節を遠隔制御する電気回路及びその制御方法に関する。
【背景技術】
【０００２】
科学技術の発展、人々の生活の質の向上につれ、現在、壁に固着されたライト制御スイッチは、人々の使用に対する要求を満たすことができなくなった。ＬＥＤの普及につれ、人々のライト色温度に対する要求がますます高くなり、変わらない色温度は同様に人々の生活の質に対する要求を満たすことができていない。従来技術において、図１に示すように、抵抗Ｒ１２、Ｒ１４、Ｒ１６、コンデンサＣ１２、Ｃ１３、ダイオードＤ２、ＭＯＳチューブＱ６、インダクタンスＬ２、チップＵ７から１セットの定電流源（３１）を構成して双色温度ＬＥＤ光源（３２）における黄光２７００Ｋ色温度のＹＬＥＤ１を駆動する。抵抗Ｒ１３、Ｒ１５、Ｒ１７、コンデンサＣ１４、Ｃ１５、ダイオードＤ３、ＭＯＳチューブＱ７、インダクタンスＬ３、チップＵ８からもう１セットの定電流源（３３）を構成して双色温度ＬＥＤ光源（３２）における白光６５００Ｋ色温度のＷＬＥＤ１を駆動する。受信モジュール（２９）が受信した信号はマイクロプロセッサ（３０）に送信しデコードされ、マイクロプロセッサ（３０）がデコードした後に２セットの光調節信号ＹＰＷＭ、ＷＰＷＭをそれぞれ定電流源（３１）と定電流源（３３）に送信し、光調節色温度調節が行われ、輝度調節と色温度調節を実現できるが、この設計方法は次の２つの欠点を有する。第一に、単一色温度出力パワー最大化問題であり、例えば、ランプの固定最大出力パワーが５０Ｗであると、黄光ＹＬＥＤ、白光ＷＬＥＤの最大出力パワーが何れも２５Ｗであり、どのようにＷＰＷＭ又はＹＰＷＭ信号のデューティ比を調節しても、単一色温度が５０Ｗである出力パワーを実現できない。第二に、色温度が変化しない際にライトの輝度を調節することが求められる場合に、双定電流駆動が存在し、色温度と輝度が何れも双定電流源を制御することにより操作される。よって、輝度（パワー）が変化するにつれ、色温度も変化し、色温度の操作可能範囲が小さいため、全過程の実現が非常に難しい。
【０００３】
現在、スマートホームでの応用が大人気だが、上述したライト制御のモデルでは、前記製品を広く普及したり応用したりすることが明らかに難しい。
【発明の概要】
【発明が解決しようとする課題】
【０００４】
本発明の目的は、ＬＥＤ輝度調節色温度調節を遠隔制御する電気回路及びその制御方法を提供することにあり、マイクロプロセッサをデコーダとして利用し、ワイヤレスを通信の伝播媒体とし、ＬＥＤ定電流駆動回路、ＬＥＤ光調節色温度調節分離回路、双色温度ＬＥＤ光源を含むハードウェアと結び付け、システム処理ソフトウェアを組合せ、プログラム設定により実現されたものである。ＬＥＤ輝度調節色温度調節を遠隔制御する電気回路及びその制御方法は、ユーザのニーズに応じ、送信機を操作することにより、信号を送信し、ランプのアドレス、ランプの状態制御コード等の情報を設定してＬＥＤライトのオン又はオフ、輝度調節、色温度調節、状態記憶等の機能に対するワイヤレス遠隔制御を実現することができる。
【課題を解決するための手段】
【０００５】
本発明で採用された技術案は、
前記ＬＥＤ輝度調節色温度調節を遠隔制御する電気回路及びその制御方法であって、送信機と受信機を含み、
送信機には、ＡＬＬ  Ｌｉｇｈｔ、ＯＮ／ＯＦＦ、ＡＬＬ  Ｗｈｉｔｅ、Ｎｉｇｈｔ  ＬＥＤ、Ｗｈｉｔｅ＋、Ｙｅｌｌｏｗ＋、ＡＬＬ  Ｙｅｌｌｏｗ、Ｄｉｍｍｅｒ＋、Ｄｉｍｍｅｒ−、Ｍｅｍｏｒｙ操作ボタン及び送信機におけるアドレス３段トグルスイッチ１、２、３のボタンが設置されており、
受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを含み、
受信機ハードウェアの接続関係は次の通りであり、
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極ＹＬＥＤ＋へ伝送され、もう１チャンネルの電流がＷＬＥＤ正極ＷＬＥＤ＋へ伝送され、双色温度ＬＥＤ光源（５）は白光６５００Ｋ色温度ＷＬＥＤと黄光２７００Ｋ色温度ＹＬＥＤの共通カソードにより構成され、ＬＥＤ定電流駆動回路（３）の出力負極はＬＥＤ共通カソードと接続されており、
送信機と受信機の制御ステップは、
送信機におけるアドレストグルスイッチを選択し、送信機におけるＮｉｇｈｔ  ＬＥＤボタンを１０秒長押ししてアドレスコード信号を送信し、送信機が受信機を制御する条件として、受信機と送信機が同じであるアドレスコードを設定することで、受信機に対する該送信器のペア制御を実現し、
光調節（輝度）方法は次の通りであり、送信機におけるＡＬＬ  Ｌｉｇｈｔ又はＯＮ／ＯＦＦを操作して点灯し、Ｄｉｍｍｅｒ＋又はＤｉｍｍｅｒ−ボタンを操作し、受信モジュール（１）が信号を受信してマイクロプロセッサＭＣＵ（２）に送信し、マイクロプロセッサＭＣＵ（２）がデコードした後に光調節ＰＷＭ信号をＬＥＤ定電流駆動回路（３）に送信することで、ランプの電流の大きさを制御し、即ち輝度を制御し、輝度調節ＰＷＭ信号がランプの定出力パワーを決定し、色温度調節ＷＰＷＭ、ＹＰＷＭ信号に関係がなく、
色温度調節方法は次の通りであり、送信機におけるＡＬＬ  Ｌｉｇｈｔ又はＯＮ／ＯＦＦを操作して点灯し、Ｗｈｉｔｅ＋又はＹｅｌｌｏｗ＋ボタンを操作し、受信モジュール（１）が信号を受信してマイクロプロセッサＭＣＵ（２）に送信し、マイクロプロセッサＭＣＵ（２）がデコードした後に色温度調節ＰＷＭ信号をＬＥＤ光調節色温度調節分離回路（４）に送信し、ＬＥＤ光調節色温度調節分離回路（４）はＬＥＤ定電流駆動回路（３）が出力した電流を要求に応じてＹＬＥＤとＷＬＥＤランプに振り分け、ＹＬＥＤとＷＬＥＤのライトが混合することで、ランプの出力色温度を制御し、出力パワーが変化せず、ＡＬＬ  Ｗｈｉｔｅ又はＡＬＬ  Ｙｅｌｌｏｗボタンを操作して最大パワーの単一色温度操作を実現する。
【０００６】
前記ＬＥＤ輝度調節色温度調節を遠隔制御する制御方法であって、マイクロプロセッサＭＣＵ（２）はデコードして輝度調節ＰＷＭ信号と色温度調節ＰＷＭ信号を送信し、色温度調節ＰＷＭ信号がＷＰＷＭ、ＹＷＭ信号を含み、輝度調節ＰＷＭ信号がランプの定出力パワーを決定し、色温度調節ＷＰＷＭ、ＹＰＷＭ信号に関係がなく、色温度調節ＹＰＷＭ、ＷＰＷＭ信号が出力色温度の値を決定し、パワーの大きさに関係がなく、色温度調節ＹＰＷＭ信号と色温度調節ＷＰＷＭ信号は逆相補性信号であり、色温度調節ＹＰＷＭ信号と色温度調節ＷＰＷＭ信号が輝度調節ＰＷＭ信号と同期する。
【０００７】
前記ＬＥＤ輝度調節色温度調節を遠隔制御する電気回路であって、受信モジュール（１）は赤外線受信モジュールとワイヤレス受信モジュールを含む。
【０００８】
前記ＬＥＤ輝度調節色温度調節を遠隔制御する電気回路であって、マイクロプロセッサＭＣＵ（２）、ＬＥＤ定電流駆動回路（３）、ＬＥＤ光調節色温度調節分離回路（４）、双色温度ＬＥＤ光源（５）を含み、
（ａ）マイクロプロセッサＭＣＵ（２）はコンデンサＣ２とＵ３マイクロコントローラＰＩＣ１６Ｆ１８２４からなり、ＰＩＣ１６Ｆ１８２４は、２チャンネルのＰＷＭ、クロック、ＥＥＲＯＭが内蔵されたマイクロコントローラであり、ＰＩＣ１６Ｆ１８２４マイクロコントローラが制御信号を受信するとともに、１チャンネルで色温度調節ＰＷＭ信号を送信し、もう１チャンネルで輝度調節ＰＷＭ信号を送信し、
（ｂ）ＬＥＤ定電流駆動回路（３）はコンデンサＣ５、Ｃ６、抵抗Ｒｌ、Ｒ２、Ｒ３、インダクタンスＬ１、ダイオードＤｌ、ＭＯＳチューブＱ１、チップＵ４からなり、ＬＥＤ定電流駆動回路（３）はマイクロプロセッサＭＣＵ（２）が送信した輝度調節ＰＷＭ信号を受信し、ＬＥＤ定電流駆動回路（３）の出力ＶＬＥＤ＋端がＬＥＤ光調節色温度調節分離回路（４）におけるＰチャンネルＭＯＳチューブＱ４、Ｑ５ソース電極と接続され、出力ＬＥＤＷＹ−端がＷＬＥＤ、ＹＬＥＤの共通カソードと接続されており、
（ｃ）ＬＥＤ光調節色温度調節分離回路（４）はコンデンサＣ７、Ｃ８、抵抗Ｒ４、Ｒ５、Ｒ６、Ｒ７、Ｒ８、Ｒ９、Ｒ１０、Ｒ１１、トランジスタＱ２、Ｑ３、インバータＵ５、ＰチャンネルＭＯＳチューブＱ４、Ｑ５からなり、ＬＥＤ光調節色温度調節分離回路（４）はマイクロプロセッサＭＣＵ（２）が送信した色温度調節ＰＷＭ信号を受信し、色温度調節ＰＷＭ信号が１チャンネルで抵抗Ｒ４により緩衝されて白光色温度調節ＷＰＷＭ信号を得て、色温度調節ＷＰＷＭ信号が、コンデンサＣ７、抵抗Ｒ５、Ｒ７、Ｒ８、トランジスタＱ２、ＰチャンネルＭＯＳチューブＱ４からなるＷＬＥＤランプ電流分配器に送信されてＷＬＥＤランプを制御し、もう１チャンネルでインバータＵ５により逆相され、抵抗Ｒ９により緩衝されて黄光色温度調節ＹＰＷＭ信号を得て、色温度調節ＹＰＷＭ信号が、コンデンサＣ８、抵抗Ｒ６、Ｒ１０、Ｒ１１、トランジスタＱ３、ＰチャンネルＭＯＳチューブＱ５からなる電流分配器に送信されてＹＬＥＤランプを制御し、
（ｄ）双色温度ＬＥＤ光源（５）は、白光６５００Ｋ色温度ＷＬＥＤと黄光２７００Ｋ色温度ＹＬＥＤからなり、ＷＬＥＤとＹＬＥＤが共通カソードを有し、カソードがＬＥＤＷＹ−と定義され、ＬＥＤ定電流駆動回路（３）におけるインダクタンスＬ１と接続され、ＷＬＥＤとＹＬＥＤのアノードがそれぞれＬＥＤ光調節色温度調節分離回路（４）におけるＰチャンネルＭＯＳチューブＱ４、Ｑ５ドレインに接続される。
【０００９】
前記ＬＥＤ輝度調節色温度調節を遠隔制御する電気回路及びその制御方法であって、マイクロプロセッサＭＣＵ（２）にハードウェア化された制御ソフトウェアは、アドレス設定サブプログラム（７）、メインプログラムモジュール（８）、輝度色温度記憶サブプログラム（９）、デコード受信サブプログラム（１０）、割込み処理サブプログラム（１１）、コード処理サブプログラム（１２）、輝度調節色温度調節ＰＷＭ処理サブプログラム（１３）を含み、
前記受信機におけるマイクロプロセッサＭＣＵ（２）にハードウェア化されたシステム操作ソフトウェアモジュールの接続関係は次のとおりであり、
メインプログラムモジュール（８）がアドレス設定サブプログラム（７）、輝度色温度記憶サブプログラム（９）、割込み処理サブプログラム（１１）と互いに通じ合い、
メインプログラムモジュール（８）がデコード受信サブプログラム（１０）、コード処理サブプログラム（１２）、輝度調節色温度調節ＰＷＭ処理サブプログラム（１３）と直通し、
前記受信機での、マイクロプロセッサＭＣＵ（２）にハードウェア化されたソフトウェアの操作ステップは次の通りであり、
システム初期化ステップ（ステップ１３）から、
ＥＥＲＯＭからデータを読み取り、輝度色温度値が記憶されたかどうかのステップ（ステップ１４）に移行し、
輝度色温度値が記憶された場合、ＥＥＲＯＭから読み取ったデータによって輝度、色温度ＰＷＭ信号を送信するステップ（ステップ２８）に移行し、受信サブプログラムを呼び出すステップ（ステップ１６）に移行し、
輝度色温度値が記憶されていない場合、全てのランプが点灯する（Ｗランプ５０％輝度＋Ｙランプ５０％輝度）ステップ（１５）に移行し、受信サブプログラムを呼び出すステップ（ステップ１６）に移行し、
コードがあるかどうかを判断するステップ（ステップ１７）に移行し、
コードがない場合、受信サブプログラムを呼び出すステップ（ステップ１６）に戻り、
コードがある場合、タイマーオン割込みステップ（ステップ２６）に移行し、割込み戻りステップ（ステップ２７）に移行し、
デコード受信処理サブプログラムステップ（ステップ１８）に移行し、コード処理サブプログラムステップ（ステップ１９）に移行し、
アドレスを設定できるかどうかを判断するステップ（ステップ２０）に移行し、
設定できる場合、アドレス設定サブプログラム、関連データ記憶ステップ（ステップ２１）に移行し、受信サブプログラムを呼び出すステップ（ステップ１６）に戻り、
設定できない場合、
輝度調節色温度調節コードがあるかどうかを判断するステップ（ステップ２４）に移行し、
コードがある場合、輝度調節色温度調節ＰＷＭ処理サブプログラム、関連データ記憶ステップ（ステップ２２）に移行し、受信サブプログラムを呼び出すステップ（ステップ１６）に戻り、
コードがない場合、
現在のランプの状態を記憶するコードがあるかどうかを判断するステップ（ステップ２５）に移行し、
コードがある場合、現在の輝度色温度の関連データを記憶するステップ（ステップ２３）に移行し、受信サブプログラムを呼び出すステップ（ステップ１６）に戻り、
コードがない場合、受信サブプログラムを呼び出すステップ（ステップ１６）に戻る。
【発明の効果】
【００１０】
１、受信機と送信機のアドレスコード設定方法は、簡単で直観的で確実である。
【００１１】
２、ランプの輝度、色温度、スイッチ、状態記憶、ベッドライトを含むランプの様々な状態を遠隔制御する。
【００１２】
３、従来技術の「単一色温度輝度値を最大パワーに調節できない」という欠点を解決した。
【００１３】
４、従来技術の「色温度が変わらないと、輝度を調節する際に色温度の値に影響を及ぼさない」という課題を解決した。
【００１４】
５、従来技術の「輝度が変わらないと、色温度を調節する際に出力パワー値に影響を及ぼさない」という課題を解決した。
【００１５】
６、従来技術の「色温度の操作可能範囲が小さい」という課題を解決した。
【図面の簡単な説明】
【００１６】
【図１】本発明の従来技術における電気回路構造図である。
【図２】本発明の受信制御ハードウェアの原理ブロック図である。
【図３】本発明の受信機ハードウェアの原理図である。
【図４】本発明の送信機ボタンの機能模式図である。
【図５】本発明の輝度調節色温度調節過程で送信されたＰＷＭ関係図である。
【図６】本発明の受信機におけるマイクロプロセッサＭＣＵ（２）にハードウェア化されたシステム操作ソフトウェアの原理図である。
【図７】本発明の受信機におけるマイクロプロセッサＭＣＵ（２）にハードウェア化されたソフトウェアフローチャートである。
【発明を実施するための形態】
【００１７】
以下、図面と具体的な実施形態とを結び付けて本発明を更に説明する。
【００１８】
図１は、本発明の従来技術における電気回路構造図である。
【００１９】
従来技術において、図１に示すように、抵抗Ｒ１２、Ｒ１４、Ｒ１６、コンデンサＣ１２、Ｃ１３、ダイオードＤ２、ＭＯＳチューブＱ６、インダクタンスＬ２、チップＵ７から１セットの定電流源（３１）を構成して双色温度ＬＥＤ光源（３２）における黄光２７００Ｋ色温度のＹＬＥＤ１を駆動し、抵抗Ｒ１３、Ｒ１５、Ｒ１７、コンデンサＣ１４、Ｃ１５、ダイオードＤ３、ＭＯＳチューブＱ７、インダクタンスＬ３、チップＵ８からもう１セットの定電流源（３３）を構成して双色温度ＬＥＤ光源（３２）における白光６５００Ｋ色温度のＷＬＥＤ１を駆動し、受信モジュール（２９）が受信した信号はマイクロプロセッサ（３０）に送信しデコードされ、マイクロプロセッサ（３０）でデコードされた後、２セットの光調節信号ＹＰＷＭ、ＷＰＷＭをそれぞれ定電流源（３１）と定電流源（３３）に送信し、光調節色温度調節が行われ、輝度調節と色温度調節を実現できるが、この設計方法は次の２つの欠点を有する。第一に、単一色温度出力パワー最大化問題であり、例えば、ランプの固定最大出力パワーが５０Ｗであると、黄光ＹＬＥＤ、白光ＷＬＥＤの最大出力パワーが何れも２５Ｗであり、どのようにＷＰＷＭ又はＹＰＷＭ信号のデューティ比を調節しても、単一色温度が５０Ｗである出力パワーを実現できない。第二に、色温度が変化しない際にライトの輝度を調節することが求められる場合に、双定電流駆動が存在し、色温度と輝度が何れも双定電流源を制御することにより操作される。よって、輝度（パワー）が変化するにつれ、色温度も変化し、色温度の操作可能範囲が小さい。
【００２０】
図２は本発明の受信制御ハードウェアの原理ブロック図である。
【００２１】
前記受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを有する。
【００２２】
前記受信機ハードウェアの接続関係は次の通りである。
【００２３】
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極へ伝送され、もう１チャンネルの電流がＷＬＥＤ正極へ伝送され、双色温度ＬＥＤ光源（５）は白光６５００Ｋ色温度ＷＬＥＤと黄光２７００Ｋ色温度ＹＬＥＤの共通カソードにより構成され、ＬＥＤ定電流駆動回路（３）の出力負極はＬＥＤ共通カソードと接続されている。
【００２４】
図３は本発明の受信機ハードウェア原理図である。
【００２５】
図３において、回路の動作原理は、コンデンサＣ３、Ｃ４がＵ２と電圧安定化回路（６）を構成し、電圧安定化回路（６）が受信モジュール（１）、マイクロプロセッサＭＣＵ（２）に安定した動作電圧を提供する。本発明では、赤外線受信ヘッドで説明しており、受信モジュール（１）は、コンデンサＣ１と赤外線受信ヘッドＵ１からなり、赤外線受信ヘッドＵ１が信号を受信してマイクロプロセッサＭＣＵ（２）に送信して処理を行う。
【００２６】
マイクロプロセッサＭＣＵ（２）はコンデンサＣ２とＵ３マイクロコントローラＰＩＣ１６Ｆ１８２４からなり、ＰＩＣ１６Ｆ１８２４は、２チャンネルＰＷＭ、クロック、ＥＥＲＯＭが内蔵されたマイクロコントローラであり、ＰＩＣ１６Ｆ１８２４マイクロコントローラが制御信号を受信するとともに、１チャンネルで色温度調節ＰＷＭ信号を送信し、もう１チャンネルで輝度調節ＰＷＭ信号を送信する。
【００２７】
ＬＥＤ定電流駆動回路（３）はコンデンサＣ５、Ｃ６、抵抗Ｒｌ、Ｒ２、Ｒ３、インダクタンスＬ１、ダイオードＤｌ、ＭＯＳチューブＱ１、チップＵ４からなり、ＬＥＤ定電流駆動回路（３）はマイクロプロセッサＭＣＵ（２）が送信した輝度調節ＰＷＭ信号を受信し、ＬＥＤ定電流駆動回路（３）の出力ＶＬＥＤ＋端がＬＥＤ光調節色温度調節分離回路（４）におけるＱ４、Ｑ５と接続され、出力ＬＥＤＷＹ−端がＷＬＥＤ、ＹＬＥＤの共通カソードと接続される。
【００２８】
ＬＥＤ光調節色温度調節分離回路（４）はコンデンサＣ７、Ｃ８、抵抗Ｒ４、Ｒ５、Ｒ６、Ｒ７、Ｒ８、Ｒ９、Ｒ１０、Ｒ１１、トランジスタＱ２、Ｑ３、インバータＵ５、ＰチャンネルＭＯＳチューブＱ４、Ｑ５からなり、ＬＥＤ光調節色温度調節分離回路（４）はマイクロプロセッサＭＣＵ（２）が送信した色温度調節ＰＷＭ信号を受信し、色温度調節ＰＷＭ信号が１チャンネルで抵抗Ｒ４により緩衝されて白光色温度調節ＷＰＷＭ信号を得て、色温度調節ＷＰＷＭ信号が、コンデンサＣ７、抵抗Ｒ５、Ｒ７、Ｒ８、トランジスタＱ２、ＰチャンネルＭＯＳチューブＱ４からなるＷＬＥＤランプ電流分配器に送信されてＷＬＥＤランプを制御し、もう１チャンネルでインバータＵ５により逆相されて抵抗Ｒ９により緩衝されて黄光色温度調節ＹＰＷＭ信号を得て、色温度調節ＹＰＷＭ信号が、コンデンサＣ８、抵抗Ｒ６、Ｒ１０、Ｒ１１、トランジスタＱ３、ＰチャンネルＭＯＳチューブＱ５からなる電流分配器に送信されてＹＬＥＤランプを制御する。
【００２９】
双色温度ＬＥＤ光源（５）は、白光６５００Ｋ色温度ＷＬＥＤと黄光２７００Ｋ色温度ＹＬＥＤからなり、ＷＬＥＤとＹＬＥＤが共通カソードを有し、カソードがＬＥＤＷＹ−と定義され、ＬＥＤ定電流駆動回路（３）におけるインダクタンスＬ１と接続され、ＷＬＥＤとＹＬＥＤのアノードがそれぞれＬＥＤ光調節色温度調節分離回路（４）におけるＰチャンネルＭＯＳチューブＱ４、Ｑ５ドレインに接続される。
【００３０】
図４は本発明の送信機ボタンの機能模式図である。
【００３１】
図の左側に示した「１」、「２」、「３」は３段アドレス選択スイッチであり、
ＯＮ／ＯＦＦはランプのオン／オフボタンであり、
ＡＬＬ  Ｌｉｇｈｔは中性光色温度（即ち４０００Ｋ色温度、ＹＬＥＤとＷＬＥＤがそれぞれ５０％点灯する）操作ボタンであり、
ＡＬＬ  Ｗｈｉｔｅは最大パワー単一色白光操作ボタンであり、
ＡＬＬ  Ｙｅｌｌｏｗは最大パワー単一色黄光操作ボタンであり、
Ｗｈｉｔｅ＋は白光色温度増加ボタンであり、
Ｙｅｌｌｏｗ＋は黄光色温度増加ボタンであり、
Ｎｉｇｈｔ  ＬＥＤは多機能ボタンであり、所定時間、例えば約１０秒長押しするとアドレス設定ボタンであり、普通（所定時間内）に押すとベッドランプＯＮ／ＯＦＦボタンであり、
Ｄｉｍｍｅｒ＋は輝度増加調節ボタンであり、
Ｄｉｍｍｅｒ−は輝度減少調節ボタンであり、
Ｍｅｍｏｒｙは現在のランプの状態記憶ボタンであり、このボタンを操作すると、現在のランプの状態、即ち色温度輝度値を記憶し、次回にＯＮ／ＯＦＦで点灯する又は壁スイッチで点灯する際に、点灯した色温度輝度値は記憶した時の値であり、
光調節（輝度）方法は次の通りであり、送信機におけるＡＬＬ  Ｌｉｇｈｔ又はＯＮ／ＯＦＦを操作して点灯し、Ｄｉｍｍｅｒ＋又はＤｉｍｍｅｒ−ボタンを操作し、受信モジュール（１）が信号を受信してマイクロプロセッサＭＣＵ（２）に送信し、マイクロプロセッサＭＣＵ（２）がデコードした後に光調節ＰＷＭ信号をＬＥＤ定電流駆動回路（３）に送信することで、ランプの電流の大きさを制御し、即ち輝度を制御し、輝度調節ＰＷＭ信号がランプの定出力パワーを決定し、色温度調節ＷＰＷＭ、ＹＰＷＭ信号に関係がなく、
色温度調節方法は次の通りであり、送信機におけるＡＬＬ  Ｌｉｇｈｔ又はＯＮ／ＯＦＦを操作して点灯し、Ｗｈｉｔｅ＋又はＹｅｌｌｏｗ＋ボタンを操作し、受信モジュール（１）が信号を受信してマイクロプロセッサＭＣＵ（２）に送信し、マイクロプロセッサＭＣＵ（２）がデコードした後に色温度調節ＰＷＭ信号をＬＥＤ光調節色温度調節分離回路（４）に送信し、ＬＥＤ光調節色温度調節分離回路（４）はＬＥＤ定電流駆動回路（３）が出力した電流を要求に応じてＹＬＥＤとＷＬＥＤランプに振り分け、ＹＬＥＤとＷＬＥＤのライトが混合することで、ランプの出力色温度を制御し、出力パワーが変化せず、ＡＬＬ  Ｗｈｉｔｅ又はＡＬＬ  Ｙｅｌｌｏｗボタンを操作して最大パワーの単一色温度操作を実現する。
【００３２】
Ｎｉｇｈｔ  ＬＥＤは多機能ボタンであり、アドレス設定の操作方法は、
送信機の左側におけるトグルスイッチを１に選択し、アドレス設定ボタンＮｉｇｈｔ  ＬＥＤを所定時間、例えば約１０秒長押しすると、送信機はＮ列のアドレスコードを受信機に送信し続け、受信機はＮ列のコードを受信した後にこのリモートコントローラが自己遠隔制御型リモートコントローラであることを確認し、この際に、送信機の左側におけるトグルスイッチを２に選択すると、このランプを遠隔制御することができなくなる。
【００３３】
図５は本発明の輝度調節色温度調節過程で送信されたＰＷＭ関係図である。
【００３４】
図５において、
（Ａ）図は、輝度調節ＰＷＭ信号のデューティ比が５０％であり、ランプの最大出力パワーが５０Ｗであると、輝度調節ＰＷＭ信号のデューティ比が５０％であるため、この際のランプの出力パワーは２５Ｗである。色温度調節ＹＰＷＭ、ＷＰＷＭ信号は逆相で輝度調節ＰＷＭ信号と同期し、光調節色温度調節分離回路（４）は色温度調節ＹＰＷＭ、ＷＰＷＭ信号を通じてＬＥＤ定電流駆動回路（３）が出力した電流を要求に応じてＹＬＥＤとＷＬＥＤランプに振り分けるため、どのようにＹＰＷＭとＷＰＷＭのデューティ比の振分け割合を調整しても、設定された出力パワーが変化せず、色温度のみ変化する。一言で言うと、輝度調節ＰＷＭ信号が出力パワーを決定し、色温度調節ＹＰＷＭ、ＷＰＷＭ信号がランプの出力色温度を決定し、ＰＷＭ信号が低い電気レベルであると、ＬＥＤ定電流駆動回路（３）は電流を出力せず、ＷＬＥＤ、ＹＬＥＤが点灯せず、この際に、色温度調節ＹＰＷＭ、ＷＰＷＭ信号はニュートラル期間である。
【００３５】
（Ｂ）図は、（Ａ）図における輝度調節ＰＷＭ信号が変化せず、色温度調節信号が全て白光ＷＰＷＭ信号に作用するものであり、この際に、ランプの出力パワーは２５Ｗの白光ＷＬＥＤであり、黄光ＹＬＥＤは点灯しない。
【００３６】
（Ｃ）図は、輝度調節ＰＷＭ信号のデューティ比が９９．９％であり、デフォルト値が１００％であり、色温度調節ＹＰＷＭ、ＷＰＷＭ信号がそれぞれ５０％のデューティ比を占め、この際にランプの出力パワーが５０Ｗであり、色温度調節ＹＰＷＭ、ＷＰＷＭ信号がそれぞれ５０％のデューティ比を占めるため、ランプの色温度が４０００Ｋ中性色温度である。この際に、輝度調節ＰＷＭ信号のデューティ比を５０％に調節すると、この操作のＹＰＷＭ、ＷＰＷ、ＰＷＭの波形は（Ａ）図の動作波形であるが、色温度は変化せず、相変わらず４０００Ｋ中性色温度であり、図（４）におけるＡＬＬ  Ｌｉｇｈｔボタンを操作して（Ｃ）図波形を得る。
【００３７】
（Ｄ）図は、輝度調節ＰＷＭ信号のデューティ比が９９．９％であり、デフォルト値が１００％であり、この際に、ランプの出力パワーが５０Ｗであり、色温度調節ＹＰＷＭ信号のデューティ比が０であり、ＷＰＷＭ信号のデューティが１００％である。この際に、白光ＷＬＥＤ出力パワーが５０Ｗで最大であり、色温度が６５００Ｋの色温度値であり、黄光の出力パワーが０であり、黄光ＹＬＥＤが消灯する。上記のように単一色温度輝度の最大調整を実現し、図４におけるＡＬＬ  Ｗｈｉｔｅボタンを操作してこの波形を得る。
【００３８】
図６は本発明の受信機におけるマイクロプロセッサＭＣＵ（２）にハードウェア化されたシステム操作ソフトウェアの原理図である。
【００３９】
前記ＬＥＤ輝度調節色温度調節を遠隔制御する電気回路及びその制御方法であって、マイクロプロセッサＭＣＵ（２）にハードウェア化された制御ソフトウェアは、アドレス設定サブプログラム（７）、メインプログラムモジュール（８）、輝度色温度記憶サブプログラム（９）、デコード受信サブプログラム（１０）、割込み処理サブプログラム（１１）、コード処理サブプログラム（１２）、輝度調節色温度調節ＰＷＭ処理サブプログラム（１３）を含み、
前記受信機におけるマイクロプロセッサＭＣＵ（２）にハードウェア化されたシステム操作ソフトウェアモジュールの接続関係は次のとおりであり、
メインプログラムモジュール（８）がアドレス設定サブプログラム（７）、輝度色温度記憶サブプログラム（９）、割込み処理サブプログラム（１１）と互いに通じ合い、
メインプログラムモジュール（８）がデコード受信サブプログラム（１０）、コード処理サブプログラム（１２）、輝度調節色温度調節ＰＷＭ処理サブプログラム（１３）と直通する。
【００４０】
図７は本発明の受信機におけるマイクロプロセッサＭＣＵ（２）にハードウェア化されたソフトウェアフローチャートである。
【００４１】
前記受信機での、マイクロプロセッサＭＣＵ（２）にハードウェア化されたソフトウェアの操作ステップは次の通りであり、
システム初期化ステップ（ステップ１３）から、
ＥＥＲＯＭからデータを読み取り、輝度色温度値が記憶されたかどうかのステップ（ステップ１４）に移行し、
輝度色温度値が記憶された場合、ＥＥＲＯＭから読み取ったデータによって輝度、色温度ＰＷＭ信号を送信するステップ（ステップ２８）に移行し、受信サブプログラムを呼び出すステップ（ステップ１６）に移行し、
輝度色温度値が記憶されていない場合、全てのランプが点灯する（Ｗランプ５０％輝度＋Ｙランプ５０％輝度）ステップ（１５）に移行し、受信サブプログラムを呼び出すステップ（ステップ１６）に移行し、
コードがあるかどうかを判断するステップ（ステップ１７）に移行し、
コードがない場合、受信サブプログラムを呼び出すステップ（ステップ１６）に戻り、
コードがある場合、タイマーオン割込みステップ（ステップ２６）に移行し、割込み戻りステップ（ステップ２７）に移行し、
デコード受信処理サブプログラムステップ（ステップ１８）に移行し、コード処理サブプログラムステップ（ステップ１９）に移行し、
アドレスを設定できるかどうかを判断するステップ（ステップ２０）に移行し、
設定できる場合、アドレス設定サブプログラム、関連データ記憶ステップ（ステップ２１）に移行し、受信サブプログラムを呼び出すステップ（ステップ１６）に戻り、
設定できない場合、
輝度調節色温度調節コードがあるかどうかを判断するステップ（ステップ２４）に移行し、
コードがある場合、輝度調節色温度調節ＰＷＭ処理サブプログラム、関連データ記憶ステップ（ステップ２２）に移行し、受信サブプログラムを呼び出すステップ（ステップ１６）に戻り、
コードがない場合、
現在のランプの状態を記憶するコードがあるかどうかを判断するステップ（ステップ２５）に移行し、
コードがある場合、現在の輝度色温度の関連データを記憶するステップ（ステップ２３）に移行し、受信サブプログラムを呼び出すステップ（ステップ１６）に戻り、
コードがない場合、受信サブプログラムを呼び出すステップ（ステップ１６）に戻る。
【００４２】
本発明では、前記実施例を参照して説明したが、当業者は、以上の実施例が単に本発明の好ましい例にすぎないことをはっきりと理解し、広い意味で本発明から逸脱せずに様々な変化や修正をすることができることを理解すべきである。そのため、本発明を限定するものではなく、本発明の実質的な思想範囲内である限り、以上の実施に対する前記変化／変形又は修正はいずれも本発明の請求項の保護範囲に入る。
【符号の説明】
【００４３】
１………受信モジュール
２………マイクロプロセッサＭＣＵ
３………ＬＥＤ定電流駆動回路
４………ＬＥＤ光調節色温度調節分離回路
５………双色温度ＬＥＤ光源
６………電圧安定化回路
７………アドレス設定サブプログラム
８………メインプログラムモジュール
９………輝度色温度記憶サブプログラム
１０……デコード受信サブプログラム
１１……割込み処理サブプログラム
１２……コード処理サブプログラム
図６の１３……輝度調節色温度調節ＰＷＭ処理サブプログラム
図７の１３……システム初期化
１４……ＥＥＲＯＭからデータを読み取り、輝度色温度値が記憶されたかどうか？
１５……全てのランプが点灯する（Ｗランプ５０％輝度＋Ｙランプ５０％輝度）
１６……受信サブプログラムを呼び出す
１７……コードがあるかどうか？
１８……デコード受信処理サブプログラム
１９……コード処理サブプログラム
２０……アドレスを設定できるかどうか？
２１……アドレス設定サブプログラム、関連データ記憶
２２……輝度調節色温度調節ＰＷＭ処理サブプログラム、関連データ記憶
２３……現在の輝度色温度の関連データを記憶する
２４……輝度調節色温度調節コードがあるかどうか？
２５……現在のランプの状態を記憶するコードがあるかどうか？
２６……タイマーオン割込み
２７……割込み戻り
２８……ＥＥＲＯＭから読み取ったデータによって輝度、色温度ＰＷＭ信号を送信する
【図１】
2019129061.tif 000003
【図２】
2019129061.tif 000004
【図３】
2019129061.tif 000005
【図４】
2019129061.tif 000006
【図５】
2019129061.tif 000007
【図６】
2019129061.tif 000008
【図７】
2019129061.tif 000009
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
送信機と受信機を含むＬＥＤ輝度調節色温度調節を遠隔制御する電気回路であって、
送信機には、ＡＬＬ  Ｌｉｇｈｔ、ＯＮ／ＯＦＦ、ＡＬＬ  Ｗｈｉｔｅ、Ｎｉｇｈｔ  ＬＥＤ、Ｗｈｉｔｅ＋、Ｙｅｌｌｏｗ＋、ＡＬＬ  Ｙｅｌｌｏｗ、Ｄｉｍｍｅｒ＋、Ｄｉｍｍｅｒ−、Ｍｅｍｏｒｙ操作ボタン及び送信機におけるアドレス３段トグルスイッチ１、２、３のボタンが設置されており、
受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを含み、
受信機ハードウェアの接続関係は次の通りであり、
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極ＹＬＥＤ＋へ伝送され、もう１チャンネルの電流がＷＬＥＤ正極ＷＬＥＤ＋へ伝送され、双色温度ＬＥＤ光源（５）は白光６５００Ｋ色温度ＷＬＥＤと黄光２７００Ｋ色温度ＹＬＥＤの共通カソードにより構成され、ＬＥＤ定電流駆動回路（３）の出力負極はＬＥＤ共通カソードと接続されている、ことを特徴とするＬＥＤ輝度調節色温度調節を遠隔制御する電気回路。
【請求項２】
送信機と受信機を含むＬＥＤ輝度調節色温度調節を遠隔制御する制御方法であって、
送信機には、ＡＬＬ  Ｌｉｇｈｔ、ＯＮ／ＯＦＦ、ＡＬＬ  Ｗｈｉｔｅ、Ｎｉｇｈｔ  ＬＥＤ、Ｗｈｉｔｅ＋、Ｙｅｌｌｏｗ＋、ＡＬＬ  Ｙｅｌｌｏｗ、Ｄｉｍｍｅｒ＋、Ｄｉｍｍｅｒ−、Ｍｅｍｏｒｙ操作ボタン及び送信機におけるアドレス３段トグルスイッチ１、２、３のボタンが設置されており、
受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを含み、
受信機ハードウェアの接続関係は次の通りであり、
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極ＹＬＥＤ＋へ伝送され、もう１チャンネルの電流がＷＬＥＤ正極ＷＬＥＤ＋へ伝送され、双色温度ＬＥＤ光源（５）は白光６５００Ｋ色温度ＷＬＥＤと黄光２７００Ｋ色温度ＹＬＥＤの共通カソードにより構成され、ＬＥＤ定電流駆動回路（３）の出力負極はＬＥＤ共通カソードと接続されており、
送信機と受信機の制御ステップは次の通りであり、
送信機におけるアドレストグルスイッチを選択し、送信機におけるＮｉｇｈｔ  ＬＥＤボタンを１０秒長押ししてアドレスコード信号を送信し、送信機が受信機を制御する条件として、受信機と送信機が同じであるアドレスコードを設定することで、受信機に対する該送信機のペア制御を実現することであり、
光調節（輝度）方法は次の通りであり、
送信機におけるＡＬＬ  Ｌｉｇｈｔ又はＯＮ／ＯＦＦを操作して点灯し、Ｄｉｍｍｅｒ＋又はＤｉｍｍｅｒ−ボタンを操作し、受信モジュール（１）が信号を受信してマイクロプロセッサＭＣＵ（２）に送信し、マイクロプロセッサＭＣＵ（２）がデコードした後に光調節ＰＷＭ信号をＬＥＤ定電流駆動回路（３）に送信することで、ランプの電流の大きさを制御し、即ち輝度を制御し、輝度調節ＰＷＭ信号がランプの定出力パワーを決定し、色温度調節ＷＰＷＭ、ＹＰＷＭ信号に関係がなく、
色温度調節方法は次の通りであり、
送信機におけるＡＬＬ  Ｌｉｇｈｔ又はＯＮ／ＯＦＦを操作して点灯し、Ｗｈｉｔｅ＋又はＹｅｌｌｏｗ＋ボタンを操作し、受信モジュール（１）が信号を受信してマイクロプロセッサＭＣＵ（２）に送信し、マイクロプロセッサＭＣＵ（２）がデコードした後に色温度調節ＰＷＭ信号をＬＥＤ光調節色温度調節分離回路（４）に送信し、ＬＥＤ光調節色温度調節分離回路（４）はＬＥＤ定電流駆動回路（３）が出力した電流を要求に応じてＹＬＥＤとＷＬＥＤランプに振り分け、ＹＬＥＤとＷＬＥＤのライトが混合することで、ランプの出力色温度を制御し、出力パワーが変化せず、ＡＬＬ  Ｗｈｉｔｅ又はＡＬＬ  Ｙｅｌｌｏｗボタンを操作して最大パワーの単一色温度操作を実現する、ことを特徴とするＬＥＤ輝度調節色温度調節を遠隔制御する制御方法。
【請求項３】
請求項２に記載のＬＥＤ輝度調節色温度調節を遠隔制御する制御方法であって、
前記ＬＥＤ輝度調節色温度調節を遠隔制御する制御方法は、マイクロプロセッサＭＣＵ（２）がデコードして輝度調節ＰＷＭ信号と色温度調節ＰＷＭ信号を送信し、色温度調節ＰＷＭ信号がＷＰＷＭ、ＹＷＭ信号を含み、輝度調節ＰＷＭ信号がランプの定出力パワーを決定し、色温度調節ＷＰＷＭ、ＹＰＷＭ信号に関係がなく、色温度調節ＹＰＷＭ、ＷＰＷＭ信号が出力色温度の値を決定し、パワーの大きさに関係がなく、色温度調節ＹＰＷＭ信号と色温度調節ＷＰＷＭ信号は逆相補性信号であり、色温度調節ＹＰＷＭ信号と色温度調節ＷＰＷＭ信号が輝度調節ＰＷＭ信号と同期する、ことを特徴とする請求項２に記載のＬＥＤ輝度調節色温度調節を遠隔制御する制御方法。
【請求項４】
請求項１に記載のＬＥＤ輝度調節色温度調節を遠隔制御する電気回路であって、
前記ＬＥＤ輝度調節色温度調節を遠隔制御する電気回路は、受信モジュール（１）が赤外線受信モジュールとワイヤレス受信モジュールを含む、ことを特徴とする請求項１に記載のＬＥＤ輝度調節色温度調節を遠隔制御する電気回路。
【請求項５】
請求項１に記載のＬＥＤ輝度調節色温度調節を遠隔制御する電気回路であって、
前記ＬＥＤ輝度調節色温度調節を遠隔制御する電気回路は、マイクロプロセッサＭＣＵ（２）、ＬＥＤ定電流駆動回路（３）、ＬＥＤ光調節色温度調節分離回路（４）、双色温度ＬＥＤ光源（５）を含み、
（ａ）マイクロプロセッサＭＣＵ（２）はコンデンサＣ２とＵ３マイクロコントローラＰＩＣ１６Ｆ１８２４からなり、ＰＩＣ１６Ｆ１８２４は、２チャンネルのＰＷＭ、クロック、ＥＥＲＯＭが内蔵されたマイクロコントローラであり、ＰＩＣ１６Ｆ１８２４マイクロコントローラが制御信号を受信するとともに、１チャンネルで色温度調節ＰＷＭ信号を送信し、もう１チャンネルで輝度調節ＰＷＭ信号を送信し、
（ｂ）ＬＥＤ定電流駆動回路（３）はコンデンサＣ５、Ｃ６、抵抗Ｒｌ、Ｒ２、Ｒ３、インダクタンスＬ１、ダイオードＤｌ、ＭＯＳチューブＱ１、チップＵ４からなり、ＬＥＤ定電流駆動回路（３）はマイクロプロセッサＭＣＵ（２）が送信した輝度調節ＰＷＭ信号を受信し、ＬＥＤ定電流駆動回路（３）の出力ＶＬＥＤ＋端がＬＥＤ光調節色温度調節分離回路（４）におけるＰチャンネルＭＯＳチューブＱ４、Ｑ５ソース電極と接続され、出力ＬＥＤＷＹ−端がＷＬＥＤ、ＹＬＥＤの共通カソードと接続され、
（ｃ）ＬＥＤ光調節色温度調節分離回路（４）はコンデンサＣ７、Ｃ８、抵抗Ｒ４、Ｒ５、Ｒ６、Ｒ７、Ｒ８、Ｒ９、Ｒ１０、Ｒ１１、トランジスタＱ２、Ｑ３、インバータＵ５、ＰチャンネルＭＯＳチューブＱ４、Ｑ５からなり、ＬＥＤ光調節色温度調節分離回路（４）はマイクロプロセッサＭＣＵ（２）が送信した色温度調節ＰＷＭ信号を受信し、色温度調節ＰＷＭ信号が１チャンネルで抵抗Ｒ４により緩衝されて白光色温度調節ＷＰＷＭ信号を得て、色温度調節ＷＰＷＭ信号は、コンデンサＣ７、抵抗Ｒ５、Ｒ７、Ｒ８、トランジスタＱ２、ＰチャンネルＭＯＳチューブＱ４からなるＷＬＥＤランプ電流分配器に送信されてＷＬＥＤランプを制御し、もう１チャンネルでインバータＵ５により逆相され、抵抗Ｒ９により緩衝されて黄光色温度調節ＹＰＷＭ信号を得て、色温度調節ＹＰＷＭ信号は、コンデンサＣ８、抵抗Ｒ６、Ｒ１０、Ｒ１１、トランジスタＱ３、ＰチャンネルＭＯＳチューブＱ５からなる電流分配器に送信されてＹＬＥＤランプを制御し、
（ｄ）双色温度ＬＥＤ光源（５）は、白光６５００Ｋ色温度ＷＬＥＤと黄光２７００Ｋ色温度ＹＬＥＤからなり、ＷＬＥＤとＹＬＥＤが共通カソードを有し、カソードはＬＥＤＷＹ−と定義され、ＬＥＤ定電流駆動回路（３）におけるインダクタンスＬ１と接続され、ＷＬＥＤとＹＬＥＤのアノードはそれぞれＬＥＤ光調節色温度調節分離回路（４）におけるＰチャンネルＭＯＳチューブＱ４、Ｑ５ドレインに接続される、ことを特徴とする請求項１に記載のＬＥＤ輝度調節色温度調節を遠隔制御する電気回路。
【請求項６】
請求項１に記載のＬＥＤ輝度調節色温度調節を遠隔制御する電気回路であって、
前記ＬＥＤ輝度調節色温度調節を遠隔制御する電気回路は、マイクロプロセッサＭＣＵ（２）にハードウェア化された制御ソフトウェアが、アドレス設定サプログラム（７）、メインプログラムモジュール（８）、輝度色温度記憶サブプログラム（９）、デコード受信サブプログラム（１０）、割込み処理サブプログラム（１１）、コード処理サブプログラム（１２）、輝度調節色温度調節ＰＷＭ処理サブプログラム（１３）を含む、ことを特徴とする請求項１に記載のＬＥＤ輝度調節色温度調節を遠隔制御する電気回路。
【請求項７】
請求項６に記載のＬＥＤ輝度調節色温度調節を遠隔制御する電気回路であって、
前記受信機におけるマイクロプロセッサＭＣＵ（２）にハードウェア化されたシステム操作ソフトウェアモジュールの接続関係は次のとおりであり、メインプログラムモジュール（８）がアドレス設定サブプログラム（７）、輝度色温度記憶サブプログラム（９）、割込み処理サブプログラム（１１）と互いに通じ合い、メインプログラムモジュール（８）がデコード受信サブプログラム（１０）、コード処理サブプログラム（１２）、輝度調節色温度調節ＰＷＭ処理サブプログラム（１３）と直通する、ことを特徴とする請求項６に記載のＬＥＤ輝度調節色温度調節を遠隔制御する電気回路。
【請求項８】
請求項２に記載のＬＥＤ輝度調節色温度調節を遠隔制御する制御方法であって、
前記受信機での、マイクロプロセッサＭＣＵ（２）にハードウェア化されたソフトウェアの操作ステップは次の通りであり、
システム初期化ステップ（ステップ１３）から、
ＥＥＲＯＭからデータを読み取り、輝度色温度値が記憶されたかどうかのステップ（ステップ１４）に移行し、
輝度色温度値が記憶された場合、ＥＥＲＯＭから読み取ったデータによって輝度、色温度ＰＷＭ信号を送信するステップ（ステップ２８）に移行し、受信サブプログラムを呼び出すステップ（ステップ１６）に移行し、
輝度色温度値が記憶されていない場合、全てのランプが点灯する（Ｗランプ５０％輝度＋Ｙランプ５０％輝度）ステップ（１５）に移行し、受信サブプログラムを呼び出すステップ（ステップ１６）に移行し、
コードがあるかどうかを判断するステップ（ステップ１７）に移行し、
コードがない場合、受信サブプログラムを呼び出すステップ（ステップ１６）に戻り、
コードがある場合、タイマーオン割込みステップ（ステップ２６）に移行し、割込み戻りステップ（ステップ２７）に移行し、
デコード受信処理サブプログラムステップ（ステップ１８）に移行し、コード処理サブプログラムステップ（ステップ１９）に移行し、
アドレスを設定できるかどうかを判断するステップ（ステップ２０）に移行し、
設定できる場合、アドレス設定サブプログラム、関連データ記憶ステップ（ステップ２１）に移行し、受信サブプログラムを呼び出すステップ（ステップ１６）に戻り、
設定できない場合、
輝度調節色温度調節コードがあるかどうかを判断するステップ（ステップ２４）に移行し、
コードがある場合、輝度調節色温度調節ＰＷＭ処理サブプログラム、関連データ記憶ステップ（ステップ２２）に移行し、受信サブプログラムを呼び出すステップ（ステップ１６）に戻り、
コードがない場合、
現在のランプの状態を記憶するコードがあるかどうかを判断するステップ（ステップ２５）に移行し、
コードがある場合、現在の輝度色温度の関連データを記憶するステップ（ステップ２３）に移行し、受信サブプログラムを呼び出すステップ（ステップ１６）に戻り、
コードがない場合、受信サブプログラムを呼び出すステップ（ステップ１６）に戻る、ことを特徴とする請求項２に記載のＬＥＤ輝度調節色温度調節を遠隔制御する制御方法。
【請求項９】
送信機と受信機を含むＬＥＤ輝度調節色温度調節を遠隔制御する電気回路であって、
送信機には、ＡＬＬ  Ｌｉｇｈｔ、ＯＮ／ＯＦＦ、ＡＬＬ  Ｗｈｉｔｅ、Ｎｉｇｈｔ  ＬＥＤ、Ｗｈｉｔｅ＋、Ｙｅｌｌｏｗ＋、ＡＬＬ  Ｙｅｌｌｏｗ、Ｄｉｍｍｅｒ＋、Ｄｉｍｍｅｒ−、Ｍｅｍｏｒｙ操作ボタン及び送信機におけるアドレス３段トグルスイッチ１、２、３のボタンが設置されており、
受信機は、受信モジュール（１）、マイクロプロセッサＭＣＵ（２）、ＬＥＤ定電流駆動回路（３）、ＬＥＤ光調節色温度調節分離回路（４）、双色温度ＬＥＤ光源（５）、電圧安定化回路（６）とマイクロプロセッサＭＣＵ（２）にハードウェア化された情報処理ソフトウェア及びマイクロプロセッサＭＣＵ（２）におけるＥＥＲＯＭメモリに記憶された関連データを含み、
受信機ハードウェアの接続関係は次の通りであり、
電圧安定化回路（６）は、受信モジュール（１）、マイクロプロセッサＭＣＵ（２）に安定した動作電圧を提供し、受信モジュール（１）は信号を受信してマイクロプロセッサＭＣＵ（２）に送信し、マイクロプロセッサＭＣＵ（２）は、輝度調節ＰＷＭ信号と色温度調節ＰＷＭ信号を送信し、輝度調節ＰＷＭ信号をＬＥＤ定電流駆動回路（３）に送信し、色温度調節ＰＷＭ信号をＬＥＤ光調節色温度調節分離回路（４）に送信し、ＬＥＤ定電流駆動回路（３）は正極電流を出力してＬＥＤ光調節色温度調節分離回路（４）によって電流が２チャンネルに分離され、１チャンネルの電流がＹＬＥＤ正極ＹＬＥＤ＋へ伝送され、もう１チャンネルの電流がＷＬＥＤ正極ＷＬＥＤ＋へ伝送され、双色温度ＬＥＤ光源（５）は白光色温度ＷＬＥＤと黄光色温度ＹＬＥＤの共通カソードにより構成され、ＬＥＤ定電流駆動回路（３）の出力負極はＬＥＤ共通カソードと接続されている、ことを特徴とするＬＥＤ輝度調節色温度調節を遠隔制御する電気回路。
【請求項１０】
送信機と受信機を含むＬＥＤ輝度調節色温度調節を遠隔制御する制御方法であって、
請求項９に記載の送信機と受信機を含むＬＥＤ輝度調節色温度調節を遠隔制御する電気回路を含み、
送信機と受信機の制御ステップは次の通りであり、
送信機におけるアドレストグルスイッチを選択し、送信機におけるＮｉｇｈｔ  ＬＥＤボタンを一定時間長押ししてアドレスコード信号を送信し、送信機が受信機を制御する条件として、受信機と送信機が同じであるアドレスコードを設定することで、受信機に対する該送信機のペア制御を実現することであり、
光調節（輝度）方法は次の通りであり、
送信機におけるＡＬＬ  Ｌｉｇｈｔ又はＯＮ／ＯＦＦを操作して点灯し、Ｄｉｍｍｅｒ＋又はＤｉｍｍｅｒ−ボタンを操作し、受信モジュール（１）が信号を受信してマイクロプロセッサＭＣＵ（２）に送信し、マイクロプロセッサＭＣＵ（２）がデコードした後に光調節ＰＷＭ信号をＬＥＤ定電流駆動回路（３）に送信することで、ランプの電流の大きさを制御し、即ち輝度を制御し、輝度調節ＰＷＭ信号がランプの定出力パワーを決定し、色温度調節ＷＰＷＭ、ＹＰＷＭ信号に関係がなく、
色温度調節方法は次の通りであり、
送信機におけるＡＬＬ  Ｌｉｇｈｔ又はＯＮ／ＯＦＦを操作して点灯し、Ｗｈｉｔｅ＋又はＹｅｌｌｏｗ＋ボタンを操作し、受信モジュール（１）が信号を受信してマイクロプロセッサＭＣＵ（２）に送信し、マイクロプロセッサＭＣＵ（２）がデコードした後に色温度調節ＰＷＭ信号をＬＥＤ光調節色温度調節分離回路（４）に送信し、ＬＥＤ光調節色温度調節分離回路（４）はＬＥＤ定電流駆動回路（３）が出力した電流を要求に応じてＹＬＥＤとＷＬＥＤランプに振り分け、ＹＬＥＤとＷＬＥＤのライトが混合することで、ランプの出力色温度を制御し、出力パワーが変化せず、ＡＬＬ  Ｗｈｉｔｅ又はＡＬＬ  Ｙｅｌｌｏｗボタンを操作して最大パワーの単一色温度操作を実現する、ことを特徴とするＬＥＤ輝度調節色温度調節を遠隔制御する制御方法。